(57)【要約】【課題】中空筒状の本体ケース１の内部に設けた通風路Ｃに臨ませてスイッチ構造が設けられている温風乾燥機において、スイッチ周りから乾燥風が漏れるのを解消して送風ファンの送風効率を向上する。併せて、スイッチ構造の組立の手間を軽減する。【解決手段】スイッチパネル５１、スイッチ５２、スイッチノブ５３でスイッチ構造を構成する。スイッチパネル５１は、パネル壁５５と、その内面側に設けられる周壁５６とを備えている。本体ケース１の装填窓５０に、スイッチパネル５１をケース内面側から嵌め込み装着して、装填窓５０を周壁５６で閉止する。装填窓５０の内端に受座８０を形成し、周壁５６の周りに張り出したフランジ５７を受座８０に密着接合して、装填窓５０をさらに閉止する。スイッチパネル５１の内面にスイッチ５２を係合固定して、パネル壁５５に開口した操作窓６２とガイド溝６３とをスイッチ５２のケース７２で閉止する。スイッチノブ５３はスイッチパネル５１の外面に組み込む。【選択図】図１
2005192588.tif 000002
【特許請求の範囲】
【請求項１】
中空筒状の本体ケース（１）のケース内部に臨んでスイッチ構造が設けられており、
スイッチ構造は、本体ケース（１）に開口した装填窓（５０）にケース内面側から嵌め込み装着されるスイッチパネル（５１）と、スイッチパネル（５１）の内面に係合固定されるスイッチ（５２）と、スイッチパネル（５１）の外面にスライド自在に装着されてスイッチ（５２）を切り換え操作するスイッチノブ（５３）とを含み、
スイッチパネル（５１）は、スイッチ（５２）用の操作窓（６２）、およびスイッチノブ（５３）用のガイド溝（６３）が開口しているパネル壁（５５）と、装填窓（５０）に内嵌装着される周壁（５６）とを一体に備えており、
パネル壁（５５）の内面に密着接合したスイッチ（５２）で、操作窓（６２）およびガイド溝（６３）を閉止してある温風乾燥機。
【請求項２】
装填窓（５０）の内面側の開口縁に沿って、スイッチパネル（５１）を受け止める受座（８０）が周回状に形成されており、
スイッチパネル（５１）の周壁（５６）に受座（８０）に接合するフランジ（５７）が張り出し形成されており、
スイッチパネル（５１）を本体ケース（１）の内面に締結固定して、フランジ（５７）を受座（８０）に密着接合させてある請求項１記載の温風乾燥機。
【請求項３】
受座（８０）が本体ケース（１）の内面に突設されて通風路（Ｃ）に臨んでおり、
通風路（Ｃ）に臨む周壁（５６）の少なくとも風上側の周面にフランジ（５７）を形成して、風上側の受座（８０）にフランジ（５７）を密着させてある請求項２記載の温風乾燥機。
【請求項４】
受座（８０）の一端外方に、スイッチパネル（５１）を締結固定するためのねじボス（８１）が形成されており、
受座（８０）の他端内縁に、装填窓（５０）に嵌め込んだスイッチパネル（５１）の周壁（５６）を受け止め保持する保持爪（８２）が突設されており、
スイッチパネル（５１）の周壁（５６）の外面に、ねじボス（８１）に締結固定される締結座（５８）が形成されており、
装填窓（５０）に組み込んだスイッチパネル（５１）が、ねじボス（８１）にねじ込まれるビス（８４）と、周壁（５６）を受け止め保持する保持爪（８２）とで分離不能に固定されている請求項２または３記載の温風乾燥機。
【請求項５】
スイッチパネル（５１）の周壁（５６）の左右幅寸法と、ケース（７２）の左右幅寸法とが同じに設定されており、
スイッチパネル（５１）の周壁（５６）に、ケース（７２）の左右側壁を露出させる切欠（６０）が形成されており、
スイッチパネル（５１）に密着係合したスイッチ（５２）と周壁（５６）とが協同して装填窓（５０）を閉止している請求項１または２または３記載の温風乾燥機。
【発明の詳細な説明】
【技術分野】
【０００１】
本発明は、ヘアードライヤーやヘアーブロッサーなどに代表される温風乾燥機に関し、そのスイッチ構造に改良を加えたものである。
【背景技術】
【０００２】
この種の温風乾燥機に関して、ヒーターユニットと本体ケースとの間の通風路に臨んでスイッチを配置し、本体ケースの外面に装着したスイッチノブでスイッチを切り換え操作することが特許文献１に公知である。そこでは、二分割された上下ケースを接合して筒状の本体ケースを構成しており、その内部に送風ファンと、モーターと、ヒーターユニットを直線列状に配置している。
【０００３】
上ケースにはスイッチ用の収容部を凹み形成してあり、収容部にスイッチを仮組みしたのち、スイッチノブが組まれたスイッチパネルを収容部に係合装着することにより、スイッチをスイッチパネルと収容部とで挟み保持する。この組み付け状態において、スイッチとスイッチパネルとの間には、スイッチノブのスライド移動を許すための隙間が形成されている。他の部品とリード線を介して接続されたスイッチを組み込む必要上、収容部の底は大きく開口されて通風路と連通している。
【０００４】
本発明の温風乾燥機の基本構造に関して、特許文献２の温風乾燥機が公知である。そこでは、グリップを兼ねる下半側の風洞部と、ブラシユニットが装着される上半側の吹出部とで本体ケースを構成し、風洞部の内部に送風ファンと、モーターと、ヒーターユニットとを直線列状に配置している。本体ケースは二分割された前ケースと後ケースとを接合して中空筒状に形成してあり、前後ケースの接合縁に臨んで、スイッチおよびスイッチノブを配置してある。
【０００５】
【特許文献１】実用新案登録第２５８３１９９号公報（段落番号０００４、図１）
【特許文献２】特開２００３−２８９９３４号公報（段落番号００３２、図３）
【発明の開示】
【発明が解決しようとする課題】
【０００６】
特許文献１の温風乾燥機では、スイッチを組み込む必要上、スイッチ用の収容部が通風路と連通している。そのため、乾燥風の一部が収容部に何の抵抗もなく入り込み、スイッチノブとスイッチパネルとの接合隙間や、スイッチパネルの周縁隙間から漏れ出やすい。乾燥風の漏れは、送風ファンの送風効率を低下させるだけではなく、スイッチ周りから吹き出す風が使用者の手や顔に当って違和感を与え、あるいは温風乾燥機の品質に疑念を抱かせることにもなる。こうした乾燥風の漏れを防ぐために、スイッチ周りの隙間をパッキン等でシールするのは容易であるが、その分だけ構造が複雑になり費用も嵩む。
【０００７】
この種の温風乾燥機においては、全ての電装部品をリード線で予め結線した状態で本体ケースに組み込む。そのため、リード線や他の部品に拘束された状態のままで、各部品を一定の手順で本体ケースに組み込まねばならず、組立作業が煩雑化しやすい。特許文献１の温風乾燥機では、スイッチと他の電装部品とを長めのリード線で接続することにより、スイッチの自由度を確保して、組立時にスイッチがリード線や他の部品で拘束されるのを避けている。このように、スイッチと他の電装部品とを長いリード線で接続すると、組立時の作業能率は向上するが、リード線が長い分だけ資材の無駄であるうえ、余分なリード線は最終的に本体ケースの内部に収容するしかなく、ケース内部が雑然とし、余分なリード線によって乾燥風の流れが乱される不利もある。
【０００８】
本発明の目的は、スイッチ周りから乾燥風が漏れるのを解消して送風ファンの送風効率を向上し、同時に使用時においてスイッチ周りから漏れ出る乾燥風が使用者の手や顔に当って違和感が生じたり、あるいは品質に対する疑念が生じたりするのを解消できる温風乾燥機を提供することにある。本発明の目的は、スイッチと他の電装品を接続するリード線の長さを短くしながら、スイッチ構造の組立が簡便に行える温風乾燥機を提供することにある。
【課題を解決するための手段】
【０００９】
本発明の温風乾燥機においては、中空筒状の本体ケース１のケース内部に臨んでスイッチ構造を設ける。スイッチ構造は、本体ケース１に開口した装填窓５０にケース内面側から嵌め込み装着されるスイッチパネル５１と、スイッチパネル５１の内面に係合固定されるスイッチ５２と、スイッチパネル５１の外面にスライド自在に装着されてスイッチ５２を切り換え操作するスイッチノブ５３とを含む。スイッチパネル５１は、スイッチ５２用の操作窓６２、およびスイッチノブ５３用のガイド溝６３が開口しているパネル壁５５と、装填窓５０に内嵌装着される周壁５６とを一体に備えている。以て、パネル壁５５の内面に密着接合したスイッチ５２で、操作窓６２およびガイド溝６３を閉止している（請求項１）。
【００１０】
装填窓５０の内面側の開口縁に沿って、スイッチパネル５１を受け止める受座８０を周回状に形成し、スイッチパネル５１の周壁５６に受座８０に接合するフランジ５７を張り出し形成し、スイッチパネル５１を本体ケース１の内面に締結固定して、フランジ５７を受座８０に密着接合することができる（請求項２）。
【００１１】
受座８０は、本体ケース１の内面に突設して通風路Ｃに臨ませ、通風路Ｃに臨む周壁５６の少なくとも風上側の周面にフランジ５７を形成して、風上側の受座８０にフランジ５７を密着させることができる（請求項３）。
【００１２】
受座８０の一端外方には、スイッチパネル５１を締結固定するためのねじボス８１を形成する。受座８０の他端内縁には、装填窓５０に嵌め込んだスイッチパネル５１の周壁５６を受け止め保持する保持爪８２を突設する。スイッチパネル５１の周壁５６の外面には、ねじボス８１に締結固定される締結座５８を形成する。そして、装填窓５０に組み込んだスイッチパネル５１は、ねじボス８１にねじ込まれるビス８４と、周壁５６を受け止め保持する保持爪８２とで分離不能に固定することができる（請求項４）。
【００１３】
スイッチパネル５１の周壁５６の左右幅寸法と、ケース７２の左右幅寸法とは、同じに設定し、スイッチパネル５１の周壁５６に、ケース７２の左右側壁を露出させる切欠６０を形成し、スイッチパネル５１に密着係合したスイッチ５２と周壁５６との協同作用で装填窓５０を閉止することができる（請求項５）。
【発明の効果】
【００１４】
本発明の温風乾燥機においては、スイッチパネル５１、スイッチ５２、スイッチノブ５３の三者を含んでスイッチ構造を構成し、スイッチパネル５１を本体ケース１の装填窓５０に対してケース内面側から組み付け、その周壁５６を装填窓５０に内嵌装着することにより装填窓５０を閉止した。さらに、スイッチパネル５１に開口した操作窓６２およびガイド溝６３は、パネル壁５５の内面に密着接合したスイッチ５２で閉止して、スイッチ構造における通風隙間をスイッチ構成部品で塞ぐようにした。
【００１５】
したがって、本発明の温風乾燥機によれば、装填窓５０や、パネル壁５５の操作窓６２およびガイド溝６３などの開口部分から乾燥風が漏れるのを解消して、送風ファン７の送風効率を向上できる。使用時においてスイッチ周りから吹き出す乾燥風が使用者の手や顔に当るのを解消し、品質に対する疑念が生じるのを解消できる。スイッチ構造における通風隙間は、スイッチパネル５１やスイッチ５２などのスイッチ構成部品で塞いで乾燥風の漏れ出しを防止するので、通風隙間をパッキン等でシールする場合に比べて、スイッチ構造が簡素化し、その分だけ温風乾燥機の製造コストを削減できる。
【００１６】
周壁５６を内嵌装着して装填窓５０を閉止するので、本体ケース１とスイッチパネル５１との接合面間に、互いに係合しあう溝とリブを設けて乾燥風の吹き出しを阻止する場合に比べて、スイッチ構造が占めるスペースを節約でき、その分だけ本体ケース１の外郭形状を小さくできる。スイッチ５２は、本体ケース１の内面側からスイッチパネル５１に装着して固定するので、スイッチ５２と他の電装品を繋ぐリード線Ｒを短くすることができ、その分だけ資材の無駄を省くことができるうえ、スイッチ構造や他の電装品の組立に要する手間を省くことができる。余分なリード線によって乾燥風の流れが乱されることも一掃できる（請求項１）。
【００１７】
装填窓５０の内面側の開口縁に沿って受座８０を周回状に形成し、スイッチパネル５１を本体ケース１の内面に締結固定した状態において、その周壁５６に張り出したフランジ５７を受座８０に密着接合させると、装填窓５０を周壁５６で塞いだうえで、その内面開口縁の周囲をフランジ５７と受座８０とで閉止して、通風隙間を二重に閉止できるので、乾燥風が装填窓５０を介してケース外へ漏れ出すのをさらに確実に防止して、送風ファン７の送風効率が向上する（請求項２）。
【００１８】
通風路Ｃに臨む周壁５６の少なくとも風上側の周面にフランジ５７を形成して、風上側の受座８０にフランジ５７を密着させると、風上側の乾燥風が最も入り込みやすい部分をフランジ５７と受座８０とで閉止して、乾燥風が装填窓５０側へ入り込むのを確実に防止できる。受座８０が本体ケース１の内面に突設されていると、装填窓５０の内外方向の長さを大きくして、その分だけ通気抵抗を増やして風の漏れ出しを防ぐのに役立つ（請求項３）。
【００１９】
受座８０の一端外方にねじボス８１を形成し、他端内縁に周壁５６を受け止める保持爪８２を突設して、装填窓５０に組み込んだスイッチパネル５１が、ねじボス８１にねじ込まれるビス８４と保持爪８２とで固定されたスイッチ構造によれば、例えば落下衝撃を受けるような場合にスイッチパネル５１がケース内面側へずれ動くのを確実に防止して、より堅牢なスイッチ構造になる。１個のビス８４のみでスイッチパネル５１を本体ケース１に対して確実に固定できるので、組立に要する手間を省ける点でも有利である。保持爪８２は、通風隙間を閉止することにも役立っている。（請求項４）。
【００２０】
スイッチパネル５１の周壁５６の左右幅寸法と、スイッチ５２のケース７２の左右幅寸法とを同じに設定して、周壁５６に形成した切欠６０からケース７２を露出させて、スイッチ５２と周壁５６との協同作用で装填窓５０を閉止するようにしたスイッチ構造によれば、スイッチパネル５１の左右幅寸法を最小限化してスイッチ構造が占めるスペースを節約でき、本体ケース１の外郭形状をさらに小さくできる（請求項５）。
【発明を実施するための最良の形態】
【００２１】
図１ないし図１３は本発明に係る温風乾燥機をヘアードライヤーに適用した実施例を示す。図２ないし図４においてヘアードライヤーは、中空筒状の本体ケース１を備えている。本体ケース１は、その左右中心を通る分割線で分割した左ケース１Ｌと右ケース１Ｒとを接合して構成してあり、グリップを兼ねる下半側の風洞部２と、ブラシユニット３が装着される上半側の吹出部４とを備えている。風洞部２を構成する右ケース１Ｒの側面上部には、ヘアードライヤーの運転状態を切り換えるスイッチ構造が設けられている。
【００２２】
図３において風洞部２の内部には、乾燥風を生起する送風ファン７と、送風ファン７を回転駆動するモーター８と、ヒーターユニット９とが、下側から順に直線列状に配置してある。送風ファン７は、風洞部２の下端に設けた吸込口１０から吸い込んだ空気を加圧して、ヒーターユニット９を介して吹出部４へ送給する。
【００２３】
ヒーターユニット９は、十文字状に組んだ絶縁枠にニクロム線１２を螺旋状に巻き付け、その外周を金属薄板で形成した風洞筒１３で覆って構成してあり、風洞筒１３内を通過する乾燥風を加熱して温風を生成する。スイッチ構造と対向する風洞筒１３の周面は平坦壁１３ａで形成してあり（図１２参照）、この平坦壁１３ａとスイッチ構造との間に通風路Ｃが区画形成されている。この実施例における通風路Ｃには、送風ファン７で生起した加熱前の乾燥風の一部が送給されて、ヒーターユニット９の熱によってスイッチ構造やその周辺のケース壁が熱くなるのを阻止できるようにしてある。しかし、温風乾燥機の多くは、断熱やリード線Ｒの配線のためにのみ、通風路Ｃに相当する空間が確保してあって、乾燥風が吹出部側へ通り抜けるのを規制している。その場合でも、先の空間には加圧空気の圧力が作用するので、本発明のスイッチ構造を適用することにより、乾燥風の漏れ出しを好適に防止できる。
【００２４】
図７において、吹出部４の前面壁の殆どは吹出口１７として開口しており、吹出口１７の全体は本体ケース１に組み込んだ吹出グリル１８によって覆われている。吹出グリル１８は上下に長い角蓋状の耐熱プラスチック材製の成形品からなり、その前壁に２個のイオン送出口１９と、乾燥風の送出口２０の一群とが開口している。イオン送出口１９は丸穴で形成し、送出口２０は上下に長いスリットで形成した。
【００２５】
吹出部４の内部には、マイナスイオンを生成するためのイオン発生装置と、イオン発生装置を支持するホルダー２２と、内ケース２３とが配置してある。図５および図６においてイオン発生装置は、高電圧発生部と２個の放電電極２４とで構成する。高電圧発生部は、整流回路、パルス発生回路、および昇圧用のトランス２５とからなる。整流回路とパルス発生回路を構成する電気部品は、ＬＥＤ２７とともに回路基板２６に実装してある。
【００２６】
図５においてホルダー２２は、後面が開口する角箱状の第１装填部２９と、第１装填部２９の下側に突設される上下に長い第２装填部３０とを一体に形成した耐熱プラスチック材製の成形品からなる。第１装填部２９にはトランス２５を嵌め込み装填し、第２装填部３０に設けた上下のボスには放電電極２４を組み付ける。図６において放電電極２４は、ボスの中央に固定される針状の中央電極２４ａと、ボスの周囲に嵌め込み固定されるリング状の周囲電極２４ｂと、ボスの内面に固定した絶縁筒３１とで構成する。
【００２７】
内ケース２３は、前面が開口する樋体状の耐熱プラスチック材製の成形品からなり、その内面上部に第２装填部３０を接合するための支持枠３３を突設してある。図５に示すように内ケース２３の内面上端には、乾燥風を吹出グリル１８の側へ向かって変向案内するガイド壁３４が斜めに形成されている。
【００２８】
放電電極２４およびトランス２５が組み込まれたホルダー２２と内ケース２３とを蓋合わせ状に接合し、さらに吹出グリル１８を内ケース２３に接合したうえで、ビス３５（図５参照）で締結することにより、これら三者を１個の放電ユニットとして取り扱うことができ、ユニット化された三者間に乾燥風の通路が区画される。図示していないが、吹出グリル１８と内ケース２３とは、両者の下端一側においてもビスで締結してある。
【００２９】
風洞筒３１から送出された乾燥風は、吹出グリル１８と内ケース２３とが対向する区画に入り込み、支持枠３３および第２装填部３０で左右に分けられながらガイド壁３４で変向案内されて、吹出グリル１８の送出口２０およびイオン送出口１９から吹き出る。このとき、放電電極２４で生成されたマイナスイオンが乾燥風とともに吹き出る。
【００３０】
吹出口１７の周囲の装着面３７にブラシユニット３を着脱可能に装着し、左右一対のロックピース３８で分離不能に固定保持している。ブラシユニット３を装着面３７に装着した状態では、髪のカールやくせ付けに適したヘアーブロッサーとして使用することができ、ブラシユニット３を取り外した状態では、専ら髪乾燥を行うヘアードライヤーとして使用できる。いずれの場合にも、マイナスイオンを同時送給できる。ロックピース３８を押し込んでロック解除操作すると、ブラシユニット３を装着面３７から取り外すことができる。
【００３１】
図５、図７、図８においてブラシユニット３は、一群のブリッスル４０が植設されたゴム製のベース４１と、ベース４１が嵌め込み装填されるブラシ枠４２と、ブラシ枠４２の内面側に装着されてベース４１を内側から支え保持する内枠４３とで構成する。ベース４１および内枠４３には、それぞれ乾燥風の送出口４４の一群と、上下２個のイオン送出口４５とが開口している。
【００３２】
ブラシユニット３を装着面３７に密着接合した状態において、ブラシ枠４２と装着面３７との間から乾燥風が漏れ出るのを防ぐために、図８に示すように装着面３７の周縁に沿って溝４６を形成し、内枠４３の接合面に溝４６と係合するリブ４７を設ける。図７に示すように、これらの溝４６およびリブ４７は、左右ケース１Ｌ・１Ｒの接合縁Ｓと、ロックピース３８の配置位置を除く装着面３７のほぼ全域にわたって設けてある。
【００３３】
上記構成のヘアードライヤーにおいて、スイッチ周りから乾燥風が漏れるのを解消するためにスイッチ構造を次のように構成し、これらを本体ケース１に開口した装填窓５０に組み込んだ。図１０において、スイッチ構造はスイッチパネル５１と、スイッチパネル５１の内面に係合固定されるスイッチ５２と、スイッチパネル５１の外面にスライド自在に装着されてスイッチ５２を切り換え操作するスイッチノブ５３などで構成されている。
【００３４】
図１０および図１１においてスイッチパネル５１は、上下に長い長円状のパネル壁５５と、パネル壁５５の上側周縁と下側周縁に限って形成される周壁５６とを一体に備えたプラスチック成形品からなる。各周壁５６の内端にはそれぞれフランジ５７を張り出し形成し、上側のフランジ５７の円弧部中央にリング状の締結座５８を突設する。下側のフランジ５７は、その円弧部分に設けた２箇所の切欠５９で分断されている。上下の周壁５６の間は切欠６０になっている。
【００３５】
パネル壁５５の外面には、スイッチノブ５３を受け入れるガイド凹部６１が形成されており、その上下中途部にスイッチ５２用の操作窓６２と、スイッチノブ５３用のガイド溝６３とが開口している。図１１に示すように、一方のガイド溝６３と操作窓６２とは繋がっている。パネル壁５５の内面上下には、スイッチ５２を位置決めする４個の位置決め壁６４と、スイッチ５２を係合捕捉する２個の係合爪６５とを内向きに突設してある。締結座５８の基端には、表示キャップ６６を装着するためのポケット６７が切欠状に形成されている。
【００３６】
スイッチ５２は、入出力用の端子７０・７１を内蔵する角箱状のケース７２と、入力端子７０を出力端子７１に対して接離操作する切換片７３とを備えており、ケース７２の上下面のそれぞれに、先の係合爪６５で係合固定される突壁７４を形成してある。切換片７３には、ケース７２の外面に突出する角軸状の受動軸７３ａを設けてある。
【００３７】
受動軸７３ａが操作窓６２からガイド凹部６１側へ突出する状態で、スイッチ５２をパネル壁５５に内面側からあてがい、ケース７２の上下面を位置決め壁６４で位置決めし、さらに上下の突壁７４を２個の係合爪６５で係合捕捉することにより、スイッチ５２はスイッチパネル５１と一体化できる。ケース７２の左右幅寸法は、スイッチパネル５１の左右幅寸法と一致させてある。したがって、両者５１・５２を組み付けた状態においては、ケース７２の左右壁が上下周壁５６の間の切欠６０から露出して、スイッチパネル５１の左右面とケース７２の左右面とが面一状になっており、操作窓６２とガイド溝６３とはケース７２によって塞がれている。なお、ここで言う左右とは、ケース７２、およびスイッチパネル５１を単独で見た場合の左右を意味し、本体ケース１を基準にした前後や左右とは概念が異なる（図１３参照）。
【００３８】
スイッチノブ５３は下端側が丸められた上下に長い板片からなり、その外面の上下中央に滑り止め用のリブ７６を突設し、内面側に脚片７７とコ字状のソケット７８とを設けてなる。図１２および図１３に示すように、ソケット７８が受動軸７３ａに外嵌係合する状態で、脚片７７をガイド溝６３に係合することにより、スイッチノブ５３の上下スライド動作に連動して切換片７３を切り換え操作できる。スイッチ５２は、最下段のオフ状態から上側へ向かって、冷風、低温風、高温風の四段階に切り換えることができる。
【００３９】
上記のスイッチ構造を組み込むために、図１１に示すように右ケース１Ｒの側面上部には上下に長い長円状の装填窓５０を開口してあり、その内面側の開口縁に沿ってスイッチパネル５１のフランジ５７を受け止める受座８０が周回状に形成されている。受座８０の上側円弧部に隣接して、スイッチパネル５１、および回路基板２６を締結固定するためのねじボス８１が形成してある。パネル受座８０の下側円弧部の内面２箇所には、切欠５９と係合して周壁５６を抜き出し不能に係合保持する保持爪８２が突設されている。
【００４０】
モーター８、ヒーターユニット９、スイッチ５２、回路基板２６、トランス２５などの電装品は、図９および図１に示すごとく予めリード線Ｒで結線しておき、その状態のままで本体ケース１に組み込む。詳しくは、ポケット６７に表示キャップ６６を装着したうえで、スイッチパネル５１をケース内面側から装填窓５０に嵌め込んで下向きにスライドさせ、切欠５９を保持爪８２と係合する。同時に締結座５８をねじボス８１に外嵌係合する。このように、スイッチパネル５１を装填窓５０に嵌め込んだ状態では、装填窓５０が周壁５６とケース７２で閉止され、受座８０にフランジ５７が密着接合するので、乾燥風が装填窓５０から吹き出るのを解消できる。切欠５９と係合する保持爪８２も、乾燥風の漏れ出しを防ぐことに役立っている。
【００４１】
次に、リード線Ｒで結線された電装品を右ケース１Ｒに組むが、まずスイッチ５２をスイッチパネル５１の内面に組み付けて、ケース７２を位置決め壁６４で位置決めし、突壁７４に係合爪６５をパチンと係合させ、ケース７２で操作窓６２とガイド溝６３を内面側から閉止する。このように、操作窓６２およびガイド溝６３と通風路Ｃとを、スイッチ５２で遮断すると、乾燥風が操作窓６２の側へ侵入するのを阻止して、スイッチノブ５３の周縁部分から風が吹き出るのを防止できる。この後、回路基板２６に挿通したビス８４をねじボス８１にねじ込んで、締結座５８と回路基板２６とを共締め固定する。この締結状態において、ＬＥＤ２７は表示キャップ６６の内部に入り込んでいる（図１２参照）。
【００４２】
上記の状態で、モーター８、ヒーターユニット９、およびホルダー２２、内ケース２３、吹出グリル１８などを右ケース１Ｒ内の所定位置に組み付け、左ケース１Ｌを右ケース１Ｒに組み、両者の上下３個所をビスで締結することにより内蔵部品の組立が完了する。スイッチノブ５３は、スイッチパネル５１の外面側からガイド凹部６１に組み付けて、その脚片７７をガイド溝６３に係合する。最後に、風洞部２の前面に化粧パネル８５と規制ピース８６を係合装着する。
【００４３】
化粧パネル８５と規制ピース８６とは、左右ケース１Ｌ・１Ｒの接合部分の外面を覆い隠して、左右ケース１Ｌ・１Ｒの接合部分から乾燥風が漏れ出るのを防止する。規制ピース８６は、風洞部２を握る指が吹出部４側へ滑り移動するのを規制するために設けてあり、吹出部４側へ向かって上り傾斜しており、その外面上部に規制リブ８７が突設されている。
【００４４】
上記の実施例では、風洞部２と吹出部４とを一体に形成してある場合について説明したが、特許文献１のように吹出部４が風洞部２に対して着脱自在に装着できる構造であってもよい。その場合には両者２・４をコネクターを介して電気的に接続する。周壁５６と装填窓５０とはテーパー面を介して嵌合することができる。切欠５９は省略して周壁５６の内端を保持爪８２で係合捕捉することができる。回路基板２６は、第１装填部２９に配置することができる。フランジ５７は、周壁５６の開口縁に沿って周回状に形成してもよい。スイッチ構造は、風洞筒１３と送風ファン７との間の空間に臨む、本体ケース１のケース壁に配置してあってもよい。
【図面の簡単な説明】
【００４５】
【図１】スイッチ構造の分解正面図である。
【図２】ヘアードライヤーの正面図である。
【図３】ヘアードライヤーの縦断側面図である。
【図４】ヘアードライヤーの右側面図である。
【図５】吹出部の縦断側面図である。
【図６】イオン発生装置を概念的に示す説明図である。
【図７】ブラシユニットを分離した状態の正面図である。
【図８】イオン発生装置の横断平面図である。
【図９】ヘアードライヤーの分解正面図である。
【図１０】スイッチ構造の分解斜視図である。
【図１１】スイッチ構成部品を裏側から見た分解図である。
【図１２】スイッチ構造の縦断正面図である。
【図１３】図１２におけるＡ−Ａ線断面図である。
【符号の説明】
【００４６】
１  本体ケース
５０  装填窓
５１  スイッチパネル
５２  スイッチ
５３  スイッチノブ
５５  パネル壁
５６  周壁
５７  フランジ
５８  締結座
６０  切欠
６２  操作窓
６３  ガイド溝
８０  受座
８１  ねじボス
８２  保持爪
８４  ビス
Ｃ  通風路
【図１】
2005192588.tif 000003
【図２】
2005192588.tif 000004
【図３】
2005192588.tif 000005
【図４】
2005192588.tif 000006
【図５】
2005192588.tif 000007
【図６】
2005192588.tif 000008
【図７】
2005192588.tif 000009
【図８】
2005192588.tif 000010
【図９】
2005192588.tif 000011
【図１０】
2005192588.tif 000012
【図１１】
2005192588.tif 000013
【図１２】
2005192588.tif 000014
【図１３】
2005192588.tif 000015